(57)【要約】 【課題】  ＡＥ動作に関する音声ノイズを抑制する。【解決手段】  録音を伴う動画撮影時において、露出調節を行う絞り機構２８の駆動周期は、特に設定を変更しないと２ＶＩ（垂直同期信号ＶＩの２周期）に一回の割合である。絞り機構の駆動による音声ノイズを抑制したい場合には、ＡＥ調節ボタンにより駆動周期の設定を変更し、３ＶＩに一回又は４ＶＩに一回等の割合にする。駆動周期が長くなることで、単位時間の駆動回数が少なくなるため、マイク４３が拾う音声ノイズは抑制される。また、ＡＥ動作に関する音声ノイズを完全になくしたい場合には、ロック手段を用いる。ロックボタン８を押圧すると、絞り機構２８はその時点での絞り径のまま停止し、電荷蓄積時間制御又は／及びアンプのゲイン制御によりＡＥ動作を行う。【選択図】        図５
2005150942.tif 000002
【特許請求の範囲】
【請求項１】
被写体を撮像する撮像素子と、前記撮像素子の出力信号に応じ、撮像素子に入射する被写体光の光量を調節する絞り機構と、前記絞り機構を所定の周期で駆動させる絞り制御手段と、録音用のマイクとを有する動画撮影可能なデジタルカメラにおいて、
前記絞り制御手段は、録音を伴った動画撮影時に前記絞り機構の駆動周期を前記所定の周期よりも長くすることを特徴とする動画撮影可能なデジタルカメラ。
【請求項２】
被写体を撮像する撮像素子と、前記撮像素子の出力信号に応じて絞り機構を制御し自動露出を行う第一露出調節手段と、前記撮像素子の電荷蓄積時間を制御し自動露出を行う第二露出調節手段と、前記撮像素子から出力される画像信号の増幅をゲイン制御し自動露出を行う第三露出調節手段と、録音可能なマイクとを有する動画撮影可能なデジタルカメラにおいて、
第一露出調節手段を停止させるロック手段を設け、
録音を伴った動画撮影時に前記ロック手段を用いる場合には、前記第二露出調節手段又は／及び前記第三露出調節手段を適用することを特徴とする動画撮影可能なデジタルカメラ。
【発明の詳細な説明】
【技術分野】
【０００１】
本発明は、デジタルカメラに関し、更に詳しくは録音を伴う動画撮影が可能なデジタルカメラに関するものである。
【背景技術】
【０００２】
固体撮像素子、例えばＣＣＤイメージセンサを用いたデジタルカメラが知られている。最近では、デジタルカメラは、静止画撮影に限らず動画撮影も可能なものが増えている。デジタルカメラには、録音機能が搭載されており、静止画撮影の場合には、撮影した静止画に対する撮影者のメッセージ等が記録可能であり、また、動画撮影の場合には、動画撮影時における被写体側の音声及び動画に対する撮影者のメッセージ等が記録可能なものがある。
【０００３】
撮影者等は、当然、必要とする音声のみの記録を望むが、実際には、様々な音声ノイズも記録されてしまう。特に、動画撮影時には、ＡＦ（オートフォーカス）動作、ＡＥ（自動露出）動作等を撮影と同時に行うため、それらの動作に伴うモーター駆動、機械的摩擦等による音声ノイズが記録されてしまう。
【０００４】
特許文献１では、動画撮影時において、ＡＦ動作に関係する音声ノイズを最小限に抑制しようとするものである。動画撮影モード時においては、準備段階でＡＦ動作し、動画撮影中には原則ＡＦ動作を禁止する。動画撮影中にピントずれが生じた場合には、撮影者の判断により、ＡＦ動作を実行するものである。
【０００５】
【特許文献１】特開２００２−１０１２３号公報
【発明の開示】
【発明が解決しようとする課題】
【０００６】
これに対し、本発明は、ＡＥ動作に関係する音声ノイズの抑制をするものである。ＡＥ動作には、撮像素子の出力信号に応じて絞り機構を制御しＡＥを行う手段と、撮像素子の電荷蓄積時間を制御しＡＥを行う手段と、前記撮像素子から出力される画像信号の増幅をゲイン制御しＡＥを行う手段が知られている。これらの中で、音声ノイズを発生するのは、絞り機構を制御する手段であり、絞り機構を高速で駆動することにより、モーター音及び摩擦音に因する音声ノイズが発生する。絞り機構の駆動を停止すれば絞り機構による音声ノイズをなくすことができるが、反面、不適切な露出による画像の質低下につながる。従来は、撮影者が、露出の質と音声の質どちらに重きを置くかを状況に応じて選択する手段がなかった。
【０００７】
そこで、本発明では、露出の時間的応答性を考慮しながら、音声ノイズの抑制を設定できるようにしたデジタルカメラ及び露出の質を保ちながら、ＡＥ動作に伴う音声ノイズの消去を設定可能なデジタルカメラを提供することを目的とする。
【課題を解決するための手段】
【０００８】
本発明は、被写体を撮像する撮像素子と、前記撮像素子の出力信号に応じ、撮像素子に入射する被写体光の光量を調節する絞り機構と、前記絞り機構を所定の周期で駆動させる絞り制御手段と、録音用のマイクとを有する動画撮影可能なデジタルカメラに関するものである。前記絞り制御手段は、録音を伴った動画撮影時に前記絞り機構の駆動周期を前記所定の周期よりも長くすることを特徴とする。これにより、音声ノイズを発する絞り機構の駆動を少なくできる。
【０００９】
また、本発明は、被写体を撮像する撮像素子と、前記撮像素子の出力信号に応じて絞り機構を制御しＡＥを行う第一露出調節手段と、前記撮像素子の電荷蓄積時間を制御しＡＥを行う第二露出調節手段と、前記撮像素子から出力される画像信号の増幅をゲイン制御しＡＥを行う第三露出調節手段と、録音可能なマイクとを有する動画撮影可能なデジタルカメラに関するものである。第一露出調節手段を停止させるロック手段を設け、録音を伴った動画撮影時に前記ロック手段を用いる場合には、前記第二露出調節手段又は／及び前記第三露出調節手段を適用することで、露出調節をしながら、音声ノイズを発する絞り機構の駆動を停止させることができる。
【発明の効果】
【００１０】
本発明のデジタルカメラによれば、絞り機構の駆動周期を調節可能としたので、撮影者は露出の時間的応答性を考慮しつつ、音声ノイズ抑制の設定ができる。
【００１１】
また、絞り機構をロック可能としたため、必要に応じて絞り機構の駆動を停止し、ＡＥ動作に関する音声ノイズをなくす設定が可能である。その際には、電荷蓄積時間の制御及び／又はアンプのゲイン制御による露出調節手段を用い、露出の質の低下は最小限に抑えられる。
【発明を実施するための最良の形態】
【００１２】
図１に示すように、電源のオン／オフを選択できる電源スイッチ２、録音ボタン３、望遠域／広角域での撮影を可能にするズームボタン４、静止画撮影モード又は動画撮影モード又は再生モードの選択可能なモード切替えスイッチ５、レリーズボタン６、絞り機構の駆動周期を調整するＡＥ調整ボタン７、絞り機構の駆動を停止するロックボタン８からなる操作部９を操作することで、システム制御部１２へ信号が送られる。
【００１３】
システム制御部１２は、発振器１３、ＣＰＵ１４、ＡＦ制御回路１５、ＡＥ制御回路１６、ゲイン制御回路１７により構成されている。発信器１３はクロック信号を発生し、ＣＰＵ１４は種々の演算及び制御を行い、ＡＦ制御回路１５及びＡＥ制御回路１６及びゲイン制御回路１７には入力されたデータに基づいて適切な指示を出力するようなプログラムが組み込まれている。
【００１４】
タイミングジェネレータ２０はシステム制御部１２からのクロック信号に基づいて垂直同期信号ＶＩ及び水平同期信号ＨＩを生成する。生成された信号は、ＣＣＤドライバ２１及び絞り機構駆動モータードライバ２２に出力される。また、システム制御部１２では、適切な値を算出し、絞り機構駆動モータードライバ２２及びレンズ駆動モータードライバ２３及びアンプ回路２４に制御信号を出力する。
【００１５】
絞り機構駆動モータードライバ２２では、タイミングジェネレータ２０からの垂直同期信号ＶＩ及びシステム制御部１２からの信号に基づき、絞り機構駆動モーター２７の電圧及び電流が制御される。そして、絞り機構駆動モーター２７からの駆動力が伝達され、絞り機構２８が駆動する。絞り機構２８が駆動すると、駆動の度に絞り径を適切に変化させることができ、露光量を調節することができる（第一露出調節手段）。
【００１６】
なお、絞り径の決定はＡＥ制御回路１６で行われ、ＣＣＤ出力信号が小さい（暗い）ときには絞り径を開放し、大きい（明るい）ときには絞り径を閉じるように制御している。この駆動は垂直同期信号ＶＩに基づいて周期的に行われ、駆動周期の変更の指示がない場合には、図２に示すように、２ＶＩ（垂直同期信号ＶＩの２周期）に一回の割合で絞り機構２８を駆動する。一方、駆動周期の変更の指示がある場合には、図３に示すように、３ＶＩ（垂直同期信号ＶＩの３周期）に一回の割合等で絞り機構２８を駆動する。変更する駆動周期は、一つに決められるものではなく、任意に変更できるとし、ＡＥ調整ボタン７で調節可能である。
【００１７】
駆動周期を変化させて音声ノイズを抑制する以外に、絞り機構２８の駆動を停止させてＡＥ動作に関する音声ノイズを発生させない手段もある。デジタルカメラにロックボタン８を設け、ロックボタン押圧により、その時点での絞り径で絞り機構２８が停止するようにしている。第一露出調節手段（絞り機構）が停止すると、第二露出調節手段及び／又は第三露出調節手段によるＡＥ動作が行われる。
【００１８】
レンズ駆動モータードライバ２３では、システム制御部１２からの信号に基づき、レンズ駆動モーター３０に与える電圧又は電流が制御される。そして、レンズ駆動モーター３０からの駆動力が伝達され、レンズ群３１（変倍用レンズ、フォーカス用レンズ等）が移動する。
【００１９】
ＣＣＤドライバ２１では、入力された垂直同期信号ＶＩ及び水平同期信号ＨＩに基づきＣＣＤ２９に垂直電荷転送クロック及び水平電荷転送クロックを出力する。ＣＣＤ２９では、感光面上にＣＣＤ２９の前面に配置されたレンズ群３１により被写体の光学像が結像され電荷像となっており、垂直電荷転送クロック及び水平電荷転送クロックにより一次元の撮像信号として出力される。
【００２０】
なお、ＣＣＤドライバ２１では、図４に示すように、ＣＣＤ２９の電荷蓄積時間（電子シャッタのシャッタ速度）を調節することで、露光調節が可能である（第二露出調節手段）。ＣＣＤ２９への入射光量が少なければ電荷蓄積時間を長くし、一方、入射光量が多ければ電荷蓄積時間を短くすることで、適正な露出の確保が可能となる。
【００２１】
撮像信号は、ＣＤＳ回路３４によりノイズ抑圧の後、アンプ回路２４に送られる。アンプ回路２４では、システム制御部１２から指示されたゲインに応じて入力された信号を増幅する（第三露出調節手段）。ゲインの調整は、システム制御部内部のゲイン制御回路１７で行われる。ゲイン制御が用いられるのは、上述した電荷蓄積時間を最長にしても望みの露出量を得られない場合（第二露出調節手段の対応では不十分であるとき）であり、ゲインを大きくすることにより露出量を確保する（第三露出調節手段）。なお、ゲインを大きくするとノイズも増幅されるため、最大ゲインを制限することも行われる。アンプ回路２４にてレベル増幅された撮像信号は、Ａ／Ｄ変換器３５によりデジタル変換され、画像データを生成し、これを画像処理回路３６に入力する。
【００２２】
画像処理回路３６では、入力された画像データを基に、輪郭補正、ガンマ補正、ホワイトクリップ等の処理が行われた画像データを生成する。生成された画像データは画像再生処理回路３７に入力され、再生処理された後、ＬＣＤドライバ３８の駆動により、ＬＣＤモニター３９に表示される。
【００２３】
画像に関しては、静止画撮影モードでは静止画像データが、動画撮影モードでは動画像データが圧縮伸長処理回路４０に入力され、圧縮処理が行われた後に記録メディア４１に保存される。記録メディア４１への保存は、メディアコントローラ４２により制御される。また、再生モード時においては、メディアコントローラ４２の駆動により画像データが記録メディア４１から読み出され、圧縮伸長処理回路４０にて伸長処理された後、ＬＣＤモニター３９に表示される。
【００２４】
音声に関しては、マイク４３によって取得された音声がＡ／Ｄ変換器４４により音声データになり、音声処理回路４５による処理を経た後、画像データと関連づけられて記録メディア４１に保存される。また、再生モード時においては、音声データが記録メディア４１から読み出され、音声再生処理回路４６にてＤ／Ａ変換等の再生処理をされた後に、スピーカー４７により音声が出力される。
【００２５】
以下、上記構成の作用について説明する。モード切替えスイッチ５を静止画撮影モード又は動画撮影モードにして電源スイッチ２をオンにすると、撮影が開始され、ＬＣＤモニター３９にスルー画が表示される。スルー画を見ながら、ズームボタン４を操作すると、変倍用レンズが移動し、撮影者は望みのズームにすることができる。
【００２６】
静止画撮影モードの場合、被写体にデジタルカメラを向け、レリーズボタン６を半押しすることで、ピント及び露出が固定される。ピントに関しては、ＣＣＤ２９からの出力信号に基づいて画像のコントラストを評価しながらフォーカス用レンズが移動し、自動で調節が行われる。また、露出に関しては、ＣＣＤ２９からの出力信号の大きさを評価して、第一露出調節手段の絞り機構２８が駆動し、絞り径が調節される。レリーズボタン６を全押しすると、固定されたピント及び露出で撮影が行われ、撮影された画像データが記録メディア４１に保存される。撮影の後、操作部の録音ボタン３を押してマイク４３から取得した音声は音声データとなり、画像データと関連づけられて記録メディア４１に保存される。
【００２７】
動画撮影モードの場合、被写体にデジタルカメラを向け、レリーズボタン６を全押しすると、動画の撮影が開始され、再度レリーズボタン６を全押しするまで継続される。動画撮影モードであれば、レリーズボタン６を全押しする前であっても、ピント合わせをするＡＦ動作及び第一露出調節手段が周期的に駆動されている。ピントに関しては、ＣＣＤ２９からの出力信号に基づいて画像のコントラストを評価しながらフォーカス用レンズが移動し、自動で調節が行われている。また、露出に関しては、ＣＣＤ２９からの出力信号の大きさを評価して、第一露出調節手段の絞り機構２８が周期的に駆動し、絞り径が調節されている。絞り機構２８の駆動周期は、設定変更をしないときには、２ＶＩ（垂直同期信号ＶＩの２周期）に一回の割合であり、設定変更をしたときには、３ＶＩに一回又は４ＶＩに一回等の割合にし、周期を長くすることで、駆動回数を少なくする。絞り機構２８の駆動回数が少なければマイク４３の拾うＡＥに関する音声ノイズは抑制される。駆動周期変更はＡＥ調節ボタン７で行うことができ、図５に示すように、音声ノイズを抑制したい場合に駆動周期を変更する。動画モードの場合には、撮影と同時に動画及び音声が記録メディア４１に保存される。
【００２８】
また、動画撮影の後、録音ボタン３を押してマイク４３から取得した動画に対するメッセージ等の音声は音声データとなり、動画像データと関連づけられて記録メディア４１に保存される。
【００２９】
静止画及び動画の撮影を終え、電源スイッチ２をオフにすると、ＣＣＤ２９やＬＣＤモニター３９、各種露出調節手段等の作動が停止される。モード切替えスイッチ５を再生モードにして電源スイッチ２をオンにした場合には、ＬＣＤモニター３９には、メニューが表示される。メニューに従い、操作部９を操作することで、記録メディア４１に保存された画像及び音声の再生が行われる。
【００３０】
なお、上記作用では、ＡＥ動作に、絞り機構２８（第一露出調節手段）のみを用いて説明したが、電荷蓄積時間制御（第二露出調節手段）及びアンプのゲイン制御（第三露出調節手段）を補助的に用いてもよい。
【００３１】
ＡＥ動作に関する音声ノイズを完全になくしたい場合には、ロック手段を用いればよい。ロック手段を取り付けたデジタルカメラの場合のＡＥ動作を図６のフローチャートに示す。ロック手段を用いるのは、レリーズボタン全押し前の準備段階でもよいし、全押し後の撮影段階でもよい。図６は撮影段階においてロックボタン８を押圧した場合である。ロックボタン８を押圧すると、絞り機構２８（第一露出調節手段）の駆動が停止し、その時点での絞り径で絞り機構が停止する。絞り機構２８が停止すれば、マイク４３の拾うＡＥ動作に関する音声ノイズはなくなる。第一露出調節手段が停止し、第二露出調節手段が適用される。暗がりでの撮影であり、電荷蓄積時間を長くしても適切な露出量を得られない等、第二露出調節手段で対応が不十分であるときには、第三露出調節手段が適用される。ロックボタン８を押圧しなければ、動画撮影の間、継続して第一露出調節手段を適用することになる。
【図面の簡単な説明】
【００３２】
【図１】本発明を実施したデジタルカメラのブロック図である。
【図２】通常時の絞り機構駆動に関するタイミングチャートである。
【図３】駆動周期変更時の絞り機構駆動に関するタイミングチャートである。
【図４】電子シャッタに関するタイミングチャートである。
【図５】録音を伴う動画撮影時のフローチャートである。
【図６】ロックボタンを取り付けた場合の、録音を伴う動画撮影時のフローチャートである。
【符号の説明】
【００３３】
８    ロックボタン
９    操作部
１２  システム制御部
１５  ＡＦ制御回路
１６  ＡＥ制御回路
１７  ゲイン制御回路
２０  タイミングジェネレータ  
２４  アンプ回路
２９  ＣＣＤ
２８  絞り機構
４３  マイク
【図１】
2005150942.tif 000003
【図２】
2005150942.tif 000004
【図３】
2005150942.tif 000005
【図４】
2005150942.tif 000006
【図５】
2005150942.tif 000007
【図６】
2005150942.tif 000008